(57)【要約】【課題】複数の時針を任意の時差を設けて表示可能にし、分針により詳細な時刻を表示可能にした時計用文字盤および時計を提供すること。【解決手段】盤面の外縁部に１時間を１５分間隔に区切る補助目盛２４が設けられ、時針５２，５４により大まかな時刻を表示することが可能な第１の文字盤２０と、１時間を５分間隔に区切る目盛３２が設けられ分針６０により時刻を分単位で表示することが可能な第２の文字盤３０と、を併有することを特徴とする時計用文字盤４０である。【選択図】図１
0003177523.tif 000002
【実用新案登録請求の範囲】
【請求項１】
盤面の外縁部に１時間を１５分間隔に区切る補助目盛が設けられ、時針により大まかな時刻を表示することが可能な第１の文字盤と、
１時間を５分間隔に区切る目盛が設けられ分針により時刻を分単位で表示することが可能な第２の文字盤と、
を併有することを特徴とする時計用文字盤。
【請求項２】
前記第２の文字盤は、前記第１の文字盤内において偏心して配設されていることを特徴とする請求項１記載の時計用文字盤。
【請求項３】
盤面の外縁部に１時間を１５分間隔に区切る補助目盛が設けられ、時針により大まかな時刻を表示することが可能な第１の文字盤と、
前記第１の文字盤の中心部に回転軸を有し、第１の地点および当該第１の地点と所定の時差を有する他の地点における時刻を各々指示する複数本の時針と、
１時間を５分間隔に区切る目盛が設けられ分針により時刻を分単位で表示することが可能な第２の文字盤と、
前記第２の文字盤の中心部に回転軸を有し、前記いずれかの時針が指示する時刻の分単位を指示する分針と、
を有することを特徴とする時計。
【請求項４】
前記第２の文字盤は、前記第１の文字盤内において偏心して配設されていることを特徴とする請求項３記載の時計。
【請求項５】
前記複数本の時針は、前記第１の地点および前記第１の地点と所定の時差を有する他の地点における時刻に応じて、前記第１の文字盤内における指示位置を個別に変更可能であることを特徴とする請求項４記載の時計。
【請求項６】
前記複数本の時針は他の時針と識別可能に形成されていることを特徴とする請求項５記載の時計。
【考案の詳細な説明】
【技術分野】
【０００１】
本考案は、時計用文字盤および時計に関する。
【背景技術】
【０００２】
時計用文字盤や時計に関しては様々な構成が提案されている。このような時計用文字盤や時計においては、一台で複数地点における時刻を読み取ることができる時計の構造も知られている。このような時計としては、たとえば特許文献１に開示されているものが知られている。
特許文献１には、複数都市における時刻を同時に表示すべく、時差に応じて所定角度に突設された複数の指針を有する時針と分針を具備した世界時計の構成が開示されている。
【先行技術文献】
【特許文献】
【０００３】
【特許文献１】公開特許公報  特開平５−１７２９５４号公報
【考案の概要】
【考案が解決しようとする課題】
【０００４】
特許文献１に開示されている世界時計においては、予め特定の国や都市を選んで時差に応じた角度で指針が突設する時針を作成しておく必要があり、出張などで出かける国や都市に応じてフレキシブルに時刻を表示することができない。
また、指針の数が増えると、指針の中に分針が紛れ込んだ状態になってしまうため、分針が見つけにくくなり、短時間で時刻を読み取ることが困難になってしまうといった課題もある。
【０００５】
そこで本考案は、複数の時針を任意の時差を設けて表示可能にし、分針により詳細な時刻を表示可能にした時計用文字盤および時計の提供を目的としている。
【課題を解決するための手段】
【０００６】
上記課題を解決するために本考案者は鋭意研究を行った結果、以下の構成に想到した。
すなわち、盤面の外縁部に１時間を１５分間隔に区切る補助目盛が設けられ、時針により大まかな時刻を表示することが可能な第１の文字盤と、１時間を５分間隔に区切る目盛が設けられ分針により時刻を分単位で表示することが可能な第２の文字盤と、を併有することを特徴とする時計用文字盤である。これにより第１の文字盤を見るだけで第１の地点と第１の地点と時差がある他の地点におけるおおよその時刻を読み取ることができる。
【０００７】
また、前記第２の文字盤は、前記第１の文字盤内において偏心して配設されていることが好ましい。これにより、コンパクトな文字盤にすることができると共に、より簡単に時刻を読み取りすることができる。
【０００８】
また、盤面の外縁部に１時間を１５分間隔に区切る補助目盛が設けられ、時針により大まかな時刻を表示することが可能な第１の文字盤と、前記第１の文字盤の中心部に回転軸を有し、第１の地点および当該第１の地点と所定の時差を有する他の地点における時刻を各々指示する複数本の時針と、１時間を５分間隔に区切る目盛が設けられ分針により時刻を分単位で表示することが可能な第２の文字盤と、前記第２の文字盤の中心部に回転軸を有し、前記いずれかの時針が指示する時刻の分単位を指示する分針と、を有することを特徴とする時計の考案もある。これにより、第１の文字盤および時針を見るだけで複数地点におけるおおよその時刻を短時間で読み取ることができる。
【０００９】
また、前記第２の文字盤は、前記第１の文字盤内において偏心して配設されていることが好ましい。これにより、コンパクトな時計にすることができると共に、より簡単に時刻を読み取りすることができる。
【００１０】
また、前記複数本の時針は、前記第１の地点および前記第１の地点と所定の時差を有する他の地点における時刻に応じて、前記第１の文字盤内における指示位置を個別に変更可能であることが好ましい。これにより任意の複数地点における時刻表示を適宜選択することができ利便性が格段に向上する。
また、前記複数本の時針は他の時針と識別可能に形成されていることが好ましい。これにより時刻の読み間違えを防ぐことができ好都合である。
【考案の効果】
【００１１】
本考案にかかる構成を採用することにより、時針のみであってもおおよその時刻を短時間で読み取りすることができ、分針により詳細な時刻を読み取ることもできる。また、複数の時針が配設された場合であっても、それぞれの時針により指示された時刻を短時間で読み取ることができる時計用文字盤および時計の提供が可能になる。
【図面の簡単な説明】
【００１２】
【図１】本実施形態にかかる時計の正面図である。
【考案を実施するための最良の形態】
【００１３】
以下、本考案にかかる時計の実施形態について図面に基づいて具体的に説明する。なお、本実施形態においては、説明の便宜上、時計用文字盤を単に文字盤４０と称して説明を行っている。
図１に示すように、本実施形態にかかる時計１０は、第１の文字盤２０と、第１の文字盤２０の内部に設けられ、時刻のうち分の単位を表示する第２の文字盤３０とを有する文字盤４０と、日本の時刻（第１の地点における時刻）と、日本の時刻と所定の時差を有する地点における時刻（他の地点における時刻）を表示する第１および第２の時針５２，５４と、第１および第２の時針が示す少なくとも一方における時刻を分単位で表示する分針６０とを有している。
【００１４】
第１の文字盤２０には、時刻を整数単位で示す主目盛２２と、主目盛２２の配設間隔を４等分する（１時間を１５毎に分割する）補助目盛２４が配設されている。主目盛２２の近傍位置で第１の文字盤２０の外縁部には各時刻における時間の単位が整数表示されている。補助目盛２４には各時刻における３０分を示す位置に『３０』の文字が付されている。
第１の文字盤２０には、第１および第２の時針５２，５４が配設されている。第１および第２の時針５２，５４はそれぞれ、一端部が第１の文字盤２０の中心位置で回転軸５６により軸着されている。第１および第２の時針５２，５４はいずれも通常の時計の短針（時針）と同じ動作をする。また、第１および第２の時針５２，５４のムーブメントは、詳細には説明しないが、機械式やクォーツ式などの公知の構成を用いることができる。
【００１５】
これら２本の時針５２，５４のうち、第１の時針５２は第１の文字盤２０において日本の時刻を指示し、第２の時針５４は、第１の文字盤２０において日本の時刻と所定の時差を有する所望の地点における時刻を指示させることができる。また、図１に示すように、第１の時針５２と、第２の時針５４とは一瞥したのみで互いが識別可能となるように、第１の時針５２の色彩および形状のうちの少なくとも一方と第２の時針５４の色彩および形状のうちの少なくとも一方を異ならせておくことが好ましい。
【００１６】
第２の文字盤３０は、第１の文字盤２０の径寸法の半分以下の径寸法に形成されていて、第１の文字盤２０の下側領域内に（偏心して）設けられている。前述のとおり第２の文字盤３０は時刻のうち分の単位を表示するためのものであり、本実施形態では５分毎に目盛３２および数字が設けられている。第２の文字盤３０に配設される分針６０は１本である。分針６０は一端部が第２の文字盤３０の中心位置で回転軸６６により軸着されている。分針６０は、通常の時計の長針（分針）と同じ動作をする。分針６０のムーブメントも、第１および第２の時針５２，５４と同様に公知のムーブメントの構成を採用することができる。
【００１７】
このように、１時間を１５分毎に区切る補助目盛２４を付した第１の文字盤２０と、時刻のうち分の単位を示す第２の文字盤３０を設けた文字盤４０を有する時計１０の構成を採用することにより、第１の文字盤２０を見るだけで、おおよその時刻を分単位まで読み取ることができる。また、本実施形態においては、第１および第２の時針５２，５４を配設しているので、一台の時計１０で２地点の時刻を読み取ることもできるのである。
また、時刻のうち分の単位を示す第２の文字盤３０も第１の文字盤２０の内部に設けているので、時計１０内でわずかに視線を動かせば時刻を分単位で正確に読み取ることも容易である。
【００１８】
本実施形態にかかる時計１０においては、第１の時針５２および第２の時針５４の互いの位置関係は、竜頭などの時刻調整手段（図示せず）により任意の位置関係に変更することができる。例えば、竜頭を当初位置から１回引っ張ると第２の時針５４が調整可能になる。竜頭をもう一回引っ張る（当初位置から２回引っ張る）と第１の時針５２が調整可能になる。なお、本実施形態における分針６０は第１の時針５２の調整動作に同期させているため、分針６０のみを調整する機能を特に設ける必要はない。
このような時刻調整手段の構成により頻繁に設定時刻の変更を行う第２の時針５４のみを操作しやすくすることができ、第１の時針５２や分針６０を誤って操作してしまうおそれがないことも好都合である。
【００１９】
このように、第１の時針５２と第２の時針５４との位置関係は極めて簡単な操作により調整することが可能であるため、海外旅行においては、竜頭を１回のみ引っ張れば第２の時針５４が調整可能になり、旅行先などにおいては現地時刻を指示させる調整を簡単に行うことができる。このとき、第１の文字盤２０には、１５分間隔で補助目盛２４が設けられているから、第２の時針５４の時刻合わせをきわめて簡単に行うことができる。このように日本の時刻を指示する第１の時針５２および分針６０は何ら操作されることにはならないため、第１の時針５２および分針６０が示す日本の時刻は正確な状態を維持することができる。
【００２０】
以上に本考案にかかる時計１０は、第１の文字盤２０および第２の文字盤３０により構成される文字盤４０を有していることで、第１および第２の時針５２，５４を読み取るだけでおおよその時刻を読み取ることができる。また、第１および第２の時針５２，５４が配設されていることで、一台の時計１０で２地点における時刻を同時に表示することができる点できわめて使い勝手が良い。
【００２１】
なお、本実施形態においては第１の文字盤２０の下半分の領域に第２の文字盤３０を第１の文字盤２０に対して偏心させた状態で配設したが、第２の文字盤３０は他の位置に設けてもよい。
また、第２の文字盤３０は必ずしも第１の文字盤２０の内部に設けなくてもよく、第１の文字盤２０に隣接させ、第１の文字盤２０と第２の文字盤３０を並列に配置する構成を採用することもできる。
【００２２】
また、本実施形態においては、第１の文字盤２０に第１および第２の時針５２，５４を配設した形態について説明しているが、３本以上の時針５２，５４，・・・を配設した形態とすることももちろん可能である。
さらには、分針６０は第１の時針５２の動作と同期している形態について説明したが、分針６０を第２の時針５４の動作に同期させてもよいし、時刻調整手段により分針６０のみを調整する形態とすることもできる。
そして、図１にはいわゆる置き時計型の時計１０を示しているが、腕時計型の形態にすることももちろん可能である。
【符号の説明】
【００２３】
１０  時計
２０  第１の文字盤
２２  主目盛
２４  補助目盛
３０  第２の文字盤
３２  目盛
４０  文字盤
５２，５４  時針
５６，６６  回転軸
６０  分針
【図１】
0003177523.tif 000003